(57)【要約】【課題】  １つの情報記録媒体を利用するだけで、複数の情報提供会社から電子情報が得られる電子情報配信システムを実現する。【解決手段】  電子情報を配信するアドレスを暗号化した暗号データ１０１を非接触ＩＣタグ１００に記録し、非接触ＩＣタグリーダライタ２００が前記暗号データ１０１を読取り、情報提供会社サーバ３００は前記暗号データ１０１を復号化したアドレスに電子情報を配信する。前記アドレスを顧客が所有する携帯電話５００の携帯電話番号とすることで、顧客は非接触ＩＣタグ１００の発行会社を意識せずに、複数の情報提供会社から電子情報が得られる。【選択図】      図１
2005173982.tif 000002
【特許請求の範囲】
【請求項１】
ネットワークを利用した電子情報配信システムにおいて、電子情報を配信する電子情報配信アドレスが記録された情報記録媒体と、前記情報記録媒体に記録された電子情報配信アドレスを読取るデータ読取り手段と、前記データ読取り手段が読取った電子情報配信アドレスに電子情報を配信する電子情報配信手段とを備えた電子情報配信システム。
【請求項２】
請求項１の電子情報配信システムにおいて、前記情報記録媒体は暗号化された電子情報配信アドレスを記録するものであって、この暗号化された電子情報配信アドレスを復号化する復号化手段を具備したことを特徴とする電子情報配信システム。
【請求項３】
前記情報記録媒体および前記データ読取り手段が無線で通信する機能を具備することを特徴とする請求項１または請求項２に記載の電子情報配信システム。
【請求項４】
前記情報記録媒体に記録する電子情報配信アドレスを携帯電話番号としたことを特徴とする請求項１から請求項３のいずれかに記載の電子情報配信システム。
【請求項５】
前記情報記録媒体に記録する電子情報配信アドレスをメールアドレスとしたことを特徴とする請求項１から請求項３記載の電子情報配信システム。
【請求項６】
ネットワークを利用した電子情報配信システムにおいて、情報記録媒体を識別する媒体識別コードが記録された情報記録媒体と、前記情報記録媒体に記録された情報を読取るデータ読取り手段と、前記データ読取り手段が読取った媒体識別コードに基づいて、電子情報を配信する電子情報配信アドレスを探索する電子情報配信アドレス探索手段と、前記電子情報配信アドレス探索手段が探索した電子情報配信アドレスに電子情報を配信する電子情報配信手段とを備えたことを特徴とする電子情報配信システム。
【請求項７】
請求項６の電子情報配信シムテムにおいて、情報記録媒体は暗号化された媒体識別コードを記録するものであって、前記電子情報配信アドレス探索手段は暗号化された媒体識別コードを復号化する手段を具備することを特徴とする電子情報配信システム。
【請求項８】
情報記録媒体を識別する媒体識別コードと特定のネットワークアドレスが記録された情報記録媒体と、前記情報記録媒体に記録された情報を読取るデータ読取り手段と、前記データ読取り手段が読取ったネットワークアドレスで示される特定のコンピュータに、同じく読取った前記媒体識別コードを送信するネットワーク端末と、前記特定のネットワークアドレスで示されるコンピュータに具備され、前記ネットワーク端末から送信された媒体識別コードに基づいて電子情報を配信する電子情報配信アドレスを探索する電子情報配信アドレス探索手段と、前記電子情報配信アドレス探索手段が探索した電子情報配信アドレスに電子情報を配信する電子情報配信手段を備えたことを特徴とする電子情報配信システム。
【請求項９】
請求項８の電子情報配信システムにおいて、情報記録媒体には前記媒体識別コードと前記ネットワークアドレスをそれぞれ個別の暗号鍵で暗号化したデータを記録し、前記ネット端末は暗号化された前記ネットワークアドレスを復号化する手段を具備し、前記電子情報配信アドレス探索手段は前記暗号化された前記媒体識別コードを復号化する手段を具備することを特徴とする電子情報配信システム。
【請求項１０】
前記情報記録媒体と前記データ読取り装置が無線で通信する機能を備えたことを特徴とする請求項６から請求項９のいずれかに記載の電子情報配信システム。
【請求項１１】
ネットワークを利用した電子情報配信方法において、電子情報の配信アドレスを記録した情報記録媒体をデータ読取り装置が認識するステップ、前記データ読取り装置が前記情報記録媒体に記録された電子情報配信アドレスを読取るステップ、読取られた電子情報配信アドレスに電子情報を配信するステップを順に実行する手順を含む電子情報配信方法。
【請求項１２】
ネットワークを利用した電子情報配信方法において、暗号化された電子情報配信アドレスを記録した情報記録媒体をデータ読取り装置が認識するステップと、前記データ読取り装置が前記情報記録媒体に記録され暗号化された電子情報配信アドレスを読取るステップ、読取られた暗号化された電子情報配信アドレスを復号化するステップ、複合化された電子情報配信アドレスに電子情報を配信するステップを順に実行する手順を含む電子情報配信方法。
【請求項１３】
ネットワークを利用した電子情報配信方法において、媒体を識別する媒体識別コードを記録した情報記録媒体をデータ読取り装置が認識するステップ、前記データ読取り装置が前記情報記録媒体に記録された媒体識別コードを読取るステップ、読取られた前記媒体識別コードを、前記媒体識別コードに関連付けて複数の電子情報配信アドレスを保管しているサーバに送信するステップ、前記サーバが受信した前記媒体識別コードに基いて電子情報配信アドレスを探索するステップ、探索された電子情報配信アドレスに電子情報を配信するステップを順に実行する手順を含む電子情報配信方法。
【請求項１４】
ネットワークを利用した電子情報配信方法において、媒体を識別する媒体識別コードを暗号化して記録した情報記録媒体をデータ読取り装置が認識するステップ、前記データ読取り装置が情報記録媒体に記録された前記暗号化された媒体識別コードを読取るステップ、前記データ読取り装置が読取った前記暗号化された媒体識別コードをネットワーク端末に送信するステップ、ネットワーク端末が前記暗号化された媒体識別コードを複数の電子情報配信アドレスを保管しているサーバに送信するステップ、前記サーバにて前記暗号化された媒体識別コードを復号化するステップ、前記サーバにて前記復号化した前記媒体識別コードに基いて電子情報配信アドレスを探索するステップ、探索された電子情報アドレスに電子情報を配信するステップを順に実行する手順を含む電子情報配信方法。
【請求項１５】
ネットワークを利用した電子情報配信方法において、前記媒体識別コードとコンピュータネットワーク上の特定のコンピュータを示すネットワークアドレスを記録した情報記録媒体とをデータ読取り装置が認識するステップ、前記データ読取り装置が情報記録媒体に記録された前記媒体識別コードと前記ネットワークアドレスを読取るステップ、前記データ読取り装置が読取った前記媒体識別コードと前記ネットワークアドレスをネットワーク端末に送信するステップ、ネットワーク端末が前記媒体識別コードを、前記ネットワークアドレスで示された、前記媒体識別コードに関連付けて電子情報配信アドレスを複数保管しているサーバに送信するステップ、前記サーバにて前記媒体識別コードに基いて電子情報配信アドレスを探索するステップ、探索された電子情報配信アドレスに電子情報を配信するステップを順に実行する手順を含む電子情報配信方法。
【請求項１６】
ネットワークを利用した電子情報配信方法において、前記媒体識別コードと前記ネットワークアアドレスをそれぞれ個別の暗号鍵で暗号化したデータを記録した情報記録媒体をデータ読取り装置が認識するステップ、前記データ読取り装置が情報記録媒体に記録された前記暗号化された媒体識別コードと前記暗号化されたネットワークアドレスを読取るステップ、前記データ読取り装置が読取った前記暗号化された媒体識別コードと前記暗号化されたネットワークアドレスをネットワーク端末に送信するステップ、前記暗号化されたネットワークアドレスをネットワーク端末で復号化するステップ、ネットワーク端末が前記暗号化された媒体識別コードを、前記復号化したネットワークアドレスで示された、前記媒体識別コードに関連付けて電子情報配信アドレスを複数保管しているサーバに送信するステップ、前記サーバにて前記暗号化された媒体識別コードを復号化するステップ、前記サーバにて復号化された前記媒体識別コードに基いて電子情報配信アドレスを探索するステップ、探索された電子情報配信アドレスに電子情報を配信するステップを順に実行する手順を含む電子情報配信方法。
【請求項１７】
電子情報の配信先を特定するための情報記録媒体を識別する媒体識別コードが記録された情報記録媒体。
【請求項１８】
電子情報の配信先を特定するための情報記録媒体を識別する媒体識別コードを暗号化したデータが記録された情報記録媒体。
【請求項１９】
情報記録媒体を識別する媒体識別コードとコンピューターネッワークに接続された特定のコンピュータのネットワークアドレスが記録された情報記録媒体。
【請求項２０】
情報記録媒体を識別する媒体識別コードとコンピューターネッワークに接続された特定のコンピュータのネットワークアドレスを、それぞれ個別の暗号鍵で暗号化したデータが記録された情報記録媒体。
【請求項２１】
電子情報の配信先を特定するための情報記録媒体を識別する媒体識別コードとコンピューターネッワークに接続された特定のコンピュータのネットワークアドレスが記録された情報記録媒体。
【請求項２２】
電子情報の配信先を特定するための情報記録媒体を識別する媒体識別コードとコンピューターネッワークに接続された特定のコンピュータのネットワークアドレスを、それぞれ個別の暗号鍵で暗号化したデータが記録された情報記録媒体。
【発明の詳細な説明】
【技術分野】
【０００１】
本発明は、インターネットおよび携帯電話網等のネットワークを利用し、顧客に対して商品またはサービス等の電子情報を提供するシステムに関し、特に顧客が所有する情報記録媒体を利用した電子情報配信システムに関する。
【背景技術】
【０００２】
インターネットまたは携帯電話が普及する前は、顧客に情報を提供する方法として、ポスター、チラシ、カタログといった紙媒体に商品またはサービスに関する情報を印刷し、印刷した紙媒体を顧客に提供する手段が一般的であったが、インターネットまたは携帯電話が普及するにつれ、商品またはサービスに関する電子情報をネットワークで配信する手段が増えつつある。例えば情報提供会社は、商品またはサービスに関する情報を記載したホームページを作成しインターネット上に公開すれば、顧客は、商品またはサービスに関する情報を前記ホームページから入手できる。
【０００３】
ただし上記ホームページによる電子情報提供手段では、顧客は必ず情報提供会社のホームページにアクセスしなければ商品またはサービスに関する情報を入手することはできず、顧客は店頭に陳列されている商品またはポスター等からリアルタイムで商品またはサービスに関する電子情報を入手することはできない。
【０００４】
近年、商品またはポスター等から、情報提供会社がリアルタイムに商品またはサービスに関する電子情報を顧客に対して配信するシステムおよび方法が考案されている。特許文献１はサービスに関する情報を記録した非接触ＩＣタグをポスターに貼り付け、前記非接触ＩＣタグに記録されたデータをデータ読取り装置にて読取ることで、顧客は商品またはポスター等から電子情報を入手する手段を提供している。インターネット等のネットワークを利用して顧客に電子情報を配信する方法として、特許文献２が考案されている。特許文献２は非接触ＩＣタグを利用した電子情報配信方法であって、データ読取り装置が前記非接触ＩＣタグを認識すると、電子情報がネットワークを経由して顧客が所有する携帯電話に配信される方法を開示している。
【特許文献１】特開２００２−１６２９１８号公報
【特許文献２】特開２００３−２４４０５９号公報
【発明の開示】
【発明が解決しようとする課題】
【０００５】
しかしながら特許文献２では、１社の情報提供会社と１つの情報記録媒体である前記非接触ＩＣタグが一対一に対応するため、一人の顧客が異なる情報提供会社から情報を得ようとした場合、顧客は情報提供会社ごとに異なる複数の情報記録媒体を所持しなければならない。例えば、５社の情報提供会社から情報を得ようとした場合、顧客は５社の情報提供会社が発行したそれぞれ異なる情報記録媒体を所持しなければならない。顧客が複数の情報記録媒体を所持することは、情報を得る作業が煩雑になる問題と、情報記録媒体を発行した情報提供会社とデータ読取り装置を設置した情報提供会社とが異なると、顧客に電子情報が配信されないばかりか、情報提供を要求していない全くの別の顧客に情報を誤配信してしまう問題がある。
【０００６】
本発明は、上記の従来技術の問題に鑑みて、顧客は１つの情報記録媒体を利用するだけで、複数の情報提供会社から商品またはサービス等の電子情報が得られる電子情報配信システムを提供すると共に、顧客個人情報の保護にも配慮した前記電子情報配信システムを提供することを目的とする。
【課題を解決するための手段】
【０００７】
上記課題を解決するため、請求項１に記載の発明に係わるネットワークを利用した電子情報を配信するシステムは、電子情報を配信する電子情報配信アドレスが記録された情報記録媒体と、前記情報記録媒体に記録された電子情報配信アドレスを読取るデータ読取り手段と、前記データ読取り手段が読取った電子情報配信アドレスに電子情報を配信する電子情報配信手段とを備えた電子情報配信システムである。請求項１に記載の発明によれば、他社が発行した情報記録媒体が使用された場合でも、情報記録媒体に記録された電子情報配信アドレスを読み出せば、情報提供会社は前記情報記録媒体を所有する顧客に電子情報を提供できる。
【０００８】
請求項２に記載の発明に係るネットワークを利用した電子情報を配信するシステムは、請求項１に記載の電子情報配信システムにおいて、前記情報記録媒体は暗号化された電子情報配信アドレスを記録するものであって、この暗号化された電子情報配信アドレスを復号化する復号化手段を具備したことを特徴とする電子情報配信システムである。請求項２に記載の発明によれば、情報記録媒体に記録する電子情報配信アドレスを暗号化することで、顧客の個人情報に密接した電子情報配信アドレスそのものが情報記録媒体から漏洩することを防いでいる。
【０００９】
請求項３に記載の発明に係るネットワークを利用した電子情報を配信するシステムは、前記情報記録媒体および前記データ読取り手段が無線で通信する機能を具備することを特徴とする請求項１または請求項２に記載の電子情報配信システムである。請求項３に記載の発明によれば、無線で通信する情報記録媒体を用いることで、情報記録媒体とデータ読取り装置と電気的に接合させる必要が無くなり、使用者の利便性が高まる。
【００１０】
請求項４に記載の発明に係るネットワークを利用した電子情報を配信するシステムは、前記情報記録媒体に記録する電子情報配信アドレスを携帯電話番号としたことを特徴とする請求項１から請求項３のいずれかに記載の電子情報配信システムである。請求項４に記載の発明によれば、電子情報配信アドレスを携帯電話番号とすることで、電子情報を携帯電話に配信することができる。
【００１１】
請求項５に記載の発明に係るネットワークを利用した電子情報を配信するシステムは、前記情報記録媒体に記録する電子情報配信アドレスをメールアドレスとしたことを特徴とする請求項１から請求項３記載の電子情報配信システムである。請求項５に記載の発明によれば、電子情報配信アドレスをメールアドレスとすることで、携帯電話以外に、例えばＰＤＡ（Personal Digital Assistant）等の装置に電子情報を配信することができる。
【００１２】
請求項６に記載の発明に係るネットワークを利用した電子情報を配信するシステムは、情報記録媒体を識別する媒体識別コードが記録された情報記録媒体と、前記情報記録媒体に記録された情報を読取るデータ読取り手段と、前記データ読取り手段が読取った媒体識別コードに基づいて電子情報を配信する電子情報配信アドレスを探索する電子情報配信アドレス探索手段と、前記電子情報配信アドレス探索手段が探索した電子情報配信アドレスに電子情報を配信する電子情報配信手段とを備えたことを特徴とする電子情報配信システムである。請求項６に記載の発明によれば、他社が発行した情報記録媒体が使用された場合でも、前記電子情報配信アドレス探索手段を用いることで、情報提供会社は前記情報記録媒体を所有する顧客に電子情報を提供できる。また請求項６に記載の発明によれば、前記情報記録媒体には顧客の個人情報に直接関わる情報は記録されず、個人情報の観点から優れた電子情報配信システムを構築できる。
【００１３】
請求項７に記載の発明に係るネットワークを利用した電子情報を配信するシステムは、請求項６の電子情報配信シムテムにおいて、情報記録媒体は暗号化された媒体識別コードを記録するものであって、前記電子情報配信アドレス探索手段は暗号化された媒体識別コードを復号化する手段を具備することを特徴とする電子情報配信システムである。請求項７に記載の発明によれば、顧客の個人情報に関わる媒体識別コードを暗号化することで、個人情報保護に対するセキュリティが高まる。
【００１４】
請求項８に記載の発明に係るネットワークを利用した電子情報を配信するシステムは、情報記録媒体を識別する媒体識別コードと特定のネットワークアドレスが記録された情報記録媒体と、前記情報記録媒体に記録された情報を読取るデータ読取り手段と、前記データ読取り手段が読取ったネットワークアドレスで示される特定のコンピュータに、同じく読取った前記媒体識別コードを送信するネットワーク端末と、前記特定のネットワークアドレスで示されるコンピュータに具備され、前記ネットワーク端末から送信された媒体識別コードに基づいて電子情報を配信する電子情報配信アドレスを探索する電子情報配信アドレス探索手段と、前記電子情報配信アドレス探索手段が探索した電子情報配信アドレスに電子情報を配信する電子情報配信手段を備えたことを特徴とする電子情報配信システムである。請求項８に記載の発明によれば、他社が発行した情報記録媒体が使用された場合でも、前記情報記録媒体に記録された特定のコンピュータのネットワークアドレスで示された前記電子情報配信アドレス探索手段を利用することで、情報提供会社は前記情報記録媒体を所有する顧客に電子情報を提供できる。また請求項８に記載の発明によれば、前記電子情報配信アドレス探索手段をネットワーク上に配置することができるため、情報提供会社はＶＰＮ（Virtual Private Network ）を利用した電子情報配信システムをネットワーク上に構築できる。さらに請求項８に記載の発明によれば、メールアドレス等の個人情報は前記情報記録媒体に記録されず、個人情報保護の観点から優れた電子情報配信システムを構築できる。
【００１５】
請求項９に記載の発明に係るネットワークを利用した電子情報を配信するシステムは、請求項８の電子情報配信システムにおいて、情報記録媒体には前記媒体識別コードと前記ネットワークアドレスをそれぞれ個別の暗号鍵で暗号化したデータを記録し、前記ネット端末は暗号化された前記ネットワークアドレスを復号化する手段を具備し、前記電子情報配信アドレス探索手段は前記暗号化された前記媒体識別コードを復号化する手段を具備することを特徴とする電子情報配信システムである。請求項９に記載の発明によれば、顧客の個人情報に関わる前記媒体識別コードと前記ネットワークアドレスをそれぞれ個別の暗号鍵で暗号化したデータを記録することで、情報記録媒体からの個人情報漏洩に対するセキュリティを高めることができる。
【００１６】
請求項１０に記載の発明に係るネットワークを利用した電子情報を配信するシステムは、前記情報記録媒体と前記データ読取り装置が無線で通信する機能を備えたことを特徴とする請求項６から請求項９のいずれかに記載の電子情報配信システムである。請求項１０に記載の発明によれば、無線で通信する情報記録媒体を用いることで、情報記録媒体とデータ読取り装置を電気的に接合させる必要が無くなり、使用者の利便性が高まる。
【００１７】
請求１１に記載の発明に係るネットワークを利用した電子情報を配信方法は、電子情報の配信アドレスを記録した情報記録媒体をデータ読取り装置が認識するステップ、前記情報記録媒体に記録された電子情報配信アドレスを前記データ読取り装置が読取るステップ、読取られた電子情報配信アドレスに電子情報を配信するステップを順に実行する手順を含む電子情報配信方法である。請求１１に記載の方法によれば、電子情報を配信するために必要な電子情報配信アドレスは情報記録媒体に記録されており、情報記録媒体を発行した会社を意識すること無く、情報記録媒体に記録された電子情報配信アドレスを読み出しさえすれば、情報提供会社は前記情報記録媒体を所有する顧客に電子情報を提供できる。
【００１８】
請求１２に記載の発明にかかわるネットワークを利用した電子情報を配信方法は、暗号化された電子情報配信アドレスを記録した情報記録媒体をデータ読取り装置が認識するステップ、前記データ読取り装置が前記情報記録媒体に記録され暗号化された電子情報配信アドレスを読取るステップ、読取られた暗号化された電子情報配信アドレスを復号化するステップ、複合化された電子情報配信アドレスに電子情報を配信するステップを順に実行する手順を含む電子情報配信方法である。請求１２に記載の方法によれば、情報記録媒体に記録する電子情報配信アドレスは暗号化されており、前記暗号化された電子情報配信アドレスを読取った後に復号化するため、顧客の個人情報に密接した電子情報配信アドレスそのものが情報記録媒体から漏洩することを防いでいる。
【００１９】
請求１３に記載の発明にかかわるネットワークを利用した電子情報を配信方法は、媒体を識別する媒体識別コードを記録した情報記録媒体をデータ読取り装置が認識するステップ、前記データ読取り装置が前記情報記録媒体に記録された媒体識別コードを読取るステップ、読取られた前記媒体識別コードを、前記媒体識別コードに関連付けて複数の電子情報配信アドレスを保管しているサーバに送信するステップ、前記サーバが受信した前記媒体識別コードに基いて電子情報配信アドレスを探索するステップ、探索された電子情報配信アドレスに電子情報を配信するステップを順に実行する手順を含む電子情報配信方法である。請求項１３に記載の発明によれば、他社が発行した情報記録媒体が使用された場合でも、前記媒体識別コードに関連付けて複数の電子情報配信アドレスを保管しているサーバが、受信した前記媒体識別コードに基いて電子情報配信アドレスを探索することで、情報提供会社は前記情報記録媒体を所有する顧客に電子情報を提供できる。また請求項１３に記載の方法によれば、前記情報記録媒体には顧客の個人情報に直接関わる情報は記録されず、個人情報保護の観点から優れている。
【００２０】
請求１４に記載の発明にかかわるネットワークを利用した電子情報を配信方法は、媒体を識別する媒体識別コードを暗号化して記録した情報記録媒体をデータ読取り装置が認識するステップ、前記データ読取り装置が情報記録媒体に記録された前記暗号化された媒体識別コードを読取るステップ、前記データ読取り装置が読取った前記暗号化された媒体識別コードをネットワーク端末に送信するステップ、ネットワーク端末が前記暗号化された媒体識別コードを複数の電子情報の電子情報配信アドレスを保管しているサーバに送信するステップ、前記サーバにて前記暗号化された媒体識別コードを復号化するステップ、前記サーバにて前記復号化した前記媒体識別コードに基いて電子情報配信アドレスを探索するステップ、探索された電子情報アドレスに電子情報を配信するステップを順に実行する手順を含む電子情報配信方法である。請求項１４に記載の方法によれば、顧客の個人情報に関わる媒体識別コードを暗号化することで、個人情報保護に対するセキュリティが高まる。
【００２１】
請求１５に記載の発明にかかわるネットワークを利用した電子情報を配信方法は、前記媒体識別コードとコンピュータネットワーク上の特定のコンピュータを示すネットワークアドレスを記録した情報記録媒体をデータ読取り装置が認識するステップ、前記データ読取り装置が情報記録媒体に記録された前記媒体識別コードと前記ネットワークアドレスを読取るステップ、前記データ読取り装置が読取った前記媒体識別コードと前記ネットワークアドレスをネットワーク端末に送信するステップ、ネットワーク端末が前記媒体識別コードを、前記ネットワークアドレスで示され、前記媒体識別コードに関連付けて電子情報配信アドレスを複数保管しているサーバに送信するステップと、前記サーバにて前記媒体識別コードに基いて電子情報配信アドレスを探索するステップ、探索された電子情報配信アドレスに電子情報を配信するステップを順に実行する手順を含む電子情報配信方法である。請求１５に記載の方法によれば、他社が発行した情報記録媒体が使用された場合でも、ネット端末が前記情報記録媒体に記録されたネットワークアドレスで示されるサーバに前記媒体識別コードを送信し、前記サーバが媒体識別コードに対応した電位情報配信アドレスを探索することで、情報提供会社は前記情報記録媒体を所有する顧客に電子情報を提供できる。
【００２２】
請求１６に記載の発明にかかわるネットワークを利用した電子情報を配信方法は、前記媒体識別コードと前記ネットワークアアドレスをそれぞれ個別の暗号鍵で暗号化したデータを記録した情報記録媒体をデータ読取り装置が認識するステップ、前記データ読取り装置が情報記録媒体に記録された前記暗号化された媒体識別コードと前記暗号化されたネットワークアドレスを読取るステップ、前記データ読取り装置が読取った前記暗号化された媒体識別コードと前記暗号化されたネットワークアドレスをネットワーク端末に送信するステップ、前記暗号化されたネットワークアドレスをネットワーク端末で復号化するステップ、ネットワーク端末が前記暗号化された媒体識別コードを、前記復号化したネットワークアドレスで示された、前記媒体識別コードに関連付けて電子情報配信アドレスを複数保管しているサーバに送信するステップ、前記サーバにて前記暗号化された媒体識別コードを復号化するステップ、前記サーバにて復号化された前記媒体識別コードに基いて電子情報配信アドレスを探索するステップ、探索された電子情報配信アドレスに電子情報を配信するステップを順に実行する手順を含む電子情報配信方法である。請求項１６に記載の方法は、顧客の個人情報に関わる前記媒体識別コードと前記ネットワークアドレスをそれぞれ個別の暗号鍵で暗号化したデータを情報記録媒体に記録することで、情報記録媒体からの個人情報漏洩に対するセキュリティを高めることができる。
【００２３】
請求項１７に記載の発明に係わる情報記録媒体は、電子情報の配信先を特定するための情報記録媒体を識別する媒体識別コードが記録された情報記録媒体である。
【００２４】
請求項１８に記載の発明に係わる情報記録媒体は、電子情報の配信先を特定するための情報記録媒体を識別する媒体識別コードを暗号化したデータが記録された情報記録媒体である。
【００２５】
請求項１９に記載の発明に係わる情報記録媒体は、情報記録媒体を識別する媒体識別コードとコンピューターネッワークに接続された特定のコンピュータのネットワークアドレスが記録された情報記録媒体である。
【００２６】
請求項２０に記載の発明に係わる情報記録媒体は、情報記録媒体を識別する媒体識別コードとコンピューターネッワークに接続された特定のコンピュータのネットワークアドレスを、それぞれ個別の暗号鍵で暗号化したデータが記録された情報記録媒体である。
【００２７】
請求項２１に記載の発明に係わる情報記録媒体は、電子情報の配信先を特定するための情報記録媒体を識別する媒体識別コードとコンピューターネッワークに接続された特定のコンピュータのネットワークアドレスが記録された情報記録媒体である。
【００２８】
請求項２２に記載の発明に係わる情報記録媒体は、電子情報の配信先を特定するための情報記録媒体を識別する媒体識別コードとコンピューターネッワークに接続された特定のコンピュータのネットワークアドレスを、それぞれ個別の暗号鍵で暗号化したデータが記録された情報記録媒体である。
【発明の効果】
【００２９】
本発明によれば、顧客は１つの情報記録媒体を利用するだけで、複数の情報提供会社から商品またはサービス等の電子情報が得られ、かつ顧客の個人情報保護においても優れた電子情報配信システムを提供できる。
【発明を実施するための最良の形態】
【００３０】
以下、本発明の実施の形態を、図を参照しながら詳細に説明する。
［第１の実施の形態］
図１に、本発明の第１の実施の形態の基本構造図を示す。
【００３１】
図１の構成内容について説明する。情報記録媒体として非接触ＩＣタグ１００、データ読取り手段として非接触ＩＣタグリーダライタ２００、電子情報配信手段として情報提供会社サーバ３００と、情報表示端末として携帯電話５００から構成されている。非接触ＩＣタグ１００は非接触ＩＣタグリーダライタ２００と無線で交信し、非接触ＩＣタグ１００には、電子情報配信アドレスとして携帯電話５００のメールアドレスを暗号鍵３０３で暗号化した暗号データ１０１が記録されている。非接触ＩＣタグリーダライタ２００にはコンピュータネットワーク用の通信機能が具備されおり、情報提供会社サーバ３００とＬＡＮ６０１（Local Area Network）で接続され、ＬＡＮ６０１用のプライベートネットワークアドレス２０１が与えられている。情報提供会社サーバ３００はＬＡＮ６０１とインターネット６００に接続され、暗号データを復号化する復号手段として復号装置３０１を、配信する電子情報を複数保管するデータベースとしてコンテンツデータベース３０２を具備している。前記復号装置３０１には、携帯電話５００のメールアドレスを暗号化した暗号鍵３０３が機密に保持されている。携帯電話５００は、携帯電話網６０２を経由してインターネット６００に接続している。
【００３２】
図２は非接触ＩＣタグ１００の内部構造を示した図である。非接触ＩＣタグ１００には、図２のごとく、２〜３ｍｍ程度のＩＣチップ１０２とアンテナ１０３が埋め込まれている。前記ＩＣチップ１０２にはデータを記録/保存することができ、携帯電話５００のメールアドレスを暗号鍵３０３で暗号化した暗号データ１０１が記録されている。非接触ＩＣタグ１００は、前記ＩＣチップ１０２に接続されたアンテナ１０３を用いて、非接触ＩＣタグリーダライタ２００と無線でデータ通信する。なお非接触ＩＣタグ１００には電池は内蔵しておらず、非接触ＩＣタグリーダライタ２００が発する電波をアンテナ１０３で受信し、電磁誘導を利用して、ＩＣチップ１０２に動作する電流を供給する。非接触ＩＣタグリーダライタ２００と非接触ＩＣタグ１００の通信には、１３５ＫＨｚの無線周波数帯を利用している。
【００３３】
非接触ＩＣタグ１００に記録される暗号データ１０１は、携帯電話５００のメールアドレスをトリプルＤＥＳ（Data Encryption Standard）アルゴリズムにて暗号化した暗号データである。個人情報に直接関わる携帯電話のメールアドレスを暗号化して非接触ＩＣタグに記録することで、非接触ＩＣタグから個人情報の漏洩を防ぐと共に、ネットワークに流れるデータを傍聴することによる個人情報の漏洩を防いでいる。なお暗号化時に使用した暗号鍵データ３０３は情報提供会社サーバ３００に具備されている復号装置３０１に機密に保管され、外部に暗号鍵３０３が漏洩することはない。
【００３４】
なお、図１においては情報記録媒体の一例として非接触ＩＣタグ１００を示したが、他の情報記録媒体、例えば定期券の用途で使用されつつある非接触ＩＣカード、金融用途で普及しつつある接触ＩＣカード、または赤外線やブルートゥース（Bluetooth）等の通信機能を備えたＰＤＡ（Personal Digital Assistant）でもデータ読取り装置を対応させれば、本発明を適用できる。また非接触ＩＣタグ１００に記録した電子情報配信アドレスとしては、顧客の携帯電話番号でもよく、顧客が所持しているパーソナルコンピュータのメールアドレスでもかまわない。また情報記録媒体に記録するデータを暗号化するアルゴリズムは、トリプルＤＥＳ以外の共通鍵暗号方式でもよく、ＲＳＡに代表される公開鍵暗号化方式であってもかまわない。
【００３５】
非接触ＩＣタグリーダライタ２００には、非接触ＩＣタグ１００と無線にてデータ通信する機能と、情報提供会社サーバ３００と通信する機能が少なくとも備わっている。非接触ＩＣタグリーダライタ２００の通信範囲内に非接触ＩＣタグ１００が入ると、電磁誘導により発生した起電力で非接触ＩＣタグ１００に内蔵されたＩＣチップ１０２が起動し、アンテナ１０３を利用して非接触ＩＣタグリーダライタ２００に暗号データ１０１を送信する。非接触ＩＣタグリーダライタ２００は前記暗号データ１０１を受信し、非接触ＩＣタグリーダライタ２００はパリティ等の手段で受信したデータの誤りを確認する。なお本発明の形態では、非接触ＩＣタグリーダライタ２００の電波出力を調整し、非接触ＩＣタグ１００との最大通信距離を１５ｃｍとしている。一般的には非接触ＩＣタグは、数十センチ程度離れていても非接触ＩＣリーダライタとデータ通信は可能であるが、一枚の非接触ＩＣタグ１００が複数の非接触ＩＣリーダライタと通信すると、顧客が要求していない電子情報も顧客に配信されるため、あえて最大通信距離を１５ｃｍになるように、非接触ＩＣタグリーダライタ２００の出力を調整している。また非接触ＩＣタグリーダライタ２００にはＬＡＮ６０１で使用されるプライベートネットワークアドレス２０１が設定されている。情報提供会社サーバ３００は、前記プライベートネットワークアドレス２０１を利用して、情報提供会社サーバ３００に暗号データ１０１を送信した非接触ＩＣタグリーダライタを識別できる。
【００３６】
図１においては、非接触ＩＣタグリーダライタと情報提供会社サーバはＬＡＮで接続されているが、非接触ＩＣタグリーダライタと情報提供会社サーバの接続はインターネットによる接続でもよく、インターネット接続の場合は非接触ＩＣタグリーダライタを識別するデータとして、ＬＡＮ用のプライベートネットワークアドレスの代わりにインターネットのＩＰアドレスを使用する。また情報提供会社サーバが非接触ＩＣタグリーダライタを識別するために使用するデータは、非接触ＩＣタグリーダライタに付加したネットワークアドレス以外の番号、例えば情報提供会社が非接触ＩＣタグリーダライタに連番で付加したシリアル番号でもよい。
【００３７】
情報提供会社サーバ３００は、配信する電子情報を非接触ＩＣタグリーダライタのプライベートネットワークアドレスに関連付けて記録したコンテンツデータベース３０２と、非接触ＩＣタグ１００に記録された暗号データ１０１を復号化する復号装置３０１と、ネットワークを利用して他のコンピュータまたは装置等とデータ通信する機能を備えている。
【００３８】
図３はコンテンツデータベース３０２に記録しているデータ構造図である。図３に示すように、コンテンツデータベース３０２においては、非接触ＩＣタグリーダライタが保持するプライベートネットワークアドレス８００に関連付けて複数の電子情報８０１を記録している。情報提供会社サーバ３００は非接触ＩＣタグリーダライタ２００からデータが送信されると、前記コンテンツデータベース３０２を利用して、データを送信した非接触ＩＣタグリーダライタ２００のプライベートネットワークアドレス２０１に対応した電子情報を探索する。ここで前記コンテンツデータベース３０２には、データベース内容を変更する機能、例えば電子情報の追加や削除、電子情報の更新機能も備えている。また前記コンテンツデータベース３０２において、プライベートネットワークアドレス及び電子情報以外のデータ、例えば非接触ＩＣタグリーダライタごとにアクセスされた回数を管理してもかまわない。
【００３９】
非接触ＩＣタグ１００から送信された暗号データ１０１を復号化する復号装置３０１は、復号装置３０１内部に暗号鍵３０３を機密に保管し、非接触ＩＣタグリーダライタ２００から送信された暗号データ１０１を、内部に保管している暗号鍵３０３を用いて復号化する。
【００４０】
ネットワークを利用したデータ通信機能については、情報提供会社サーバ３００にはネットワークインターフェース、ルータ、ハブ等の装置が具備され、ネットワーク通信に必要なソフトがインストールされている。くわえて情報提供会社サーバ３００にはファイヤウォールが設けられており、不正アクセスによるデータの漏洩やデータの改竄を防いでいる。
【００４１】
携帯電話５００においては、通常の電話器としての機能の他に、インターネットを利用し電子メールやホームページを閲覧する機能が備わっている。顧客は、情報提供会社サーバ３００から配信される電子情報を、携帯電話５００利用して閲覧することができる。また図１においては、情報表示端末の一例として携帯電話を示したが、他の情報表示端末、例えばＰＤＡまたはノートサイズ型のＰＣ（Personal Computer）でもよい。
【００４２】
本発明の第１の実施の形態の動作を、図を参照にしながら説明する。図４は本発明の第１の実施の形態の動作フロー図である。
【００４３】
先ず、本発明の第１の実施の形態においては、顧客が所有する携帯電話５００のメールアドレスを暗号鍵３０３を用いて暗号化した暗号データ１０１を記録した非接触ＩＣタグ１００が顧客に配布され、顧客が配布された非接触ＩＣタグ１００を非接触ＩＣタグリーダライタ２００に近接させ、非接触ＩＣタグ１００を非接触ＩＣタグリーダライタ２００が認識すると（Ｓ０１）、非接触ＩＣタグリーダライタ２００は非接触ＩＣタグリーダライタ１００に記録された暗号データ１０１を読取る（Ｓ０２）。非接触ＩＣタグリーダライタ１００は読取った暗号データ１０１を情報提供会社サーバ３００にＬＡＮ６０１経由で送信する（Ｓ０３）。情報提供会社サーバ３００は、受信した暗号データ１０１を復号装置３０１を利用して復号化し、携帯電話５００のメールアドレスを取得する（Ｓ０４）。情報提供会社サーバ３００は暗号データ１０１を送信した非接触ＩＣタグリーダライタ２００のプライベートネットワークアドレス２０１に基き、コンテンツデータベース３０２から配信する電子情報を探索する（Ｓ０５）。情報提供会社サーバ３００は、取得した電子情報を携帯電話５００のメールアドレスに配信する（Ｓ０６）。携帯電話５００は、情報提供会社サーバ３００から配信された電子情報を受信する（Ｓ０７）。
【００４４】
上述のように、本発明の第１の実施の形態を適用した電子情報配信システムにおいては、顧客は非接触ＩＣタグを使用することで、情報提供会社から電子情報を受け取ることができる。具体的には、情報提供を希望するサービスに対応した非接触ＩＣタグリーダライタに顧客が所有する非接触ＩＣタグを近接させれば、サービスに関する情報を携帯電話で閲覧することができる。
【００４５】
次に本発明の第１の実施の形態の電子情報配信システムを用いれば、使用者は一枚の非接触ＩＣタグを利用して複数の情報提供会社から電子情報を得られることを、図を参照しながら説明する。
【００４６】
図５は、本発明の第１の実施の形態を適用した二つの電子情報配信システムを設置した模式図である。図５においては、顧客９１０は非接触ＩＣタグ１１０と携帯電話５１０を所持し、電子情報配信システム４１０および４２０は、それぞれ本発明の第１の実施の形態を適用した電子情報配信システムである。電子情報配信システム４１０は駅構内に設置されたシステムであり、電子情報配信システム４２０はスーパーマーケットに設置されたシステムであり、電子情報配信システム４１０、４２０はそれぞれ異なる情報提供会社が運営している。
【００４７】
まずはじめに、顧客９１０は非接触ＩＣタグ１１０を利用することで、電子情報配信システム４１０から電子情報を得られることを説明する。
【００４８】
電子情報配信システム４１０の構成内容を説明する。情報記録媒体として非接触ＩＣタグ１１０、データ読取り手段として非接触ＩＣタグリーダライタ２１０、電子情報配信手段として情報提供会社サーバ３１０と、情報表示端末として携帯電話５１０から構成されている。非接触ＩＣタグ１１０は非接触ＩＣタグリーダライタ２１０と無線で交信し、非接触ＩＣタグ１１０には、電子情報配信アドレスとして携帯電話５１０のメールアドレスを暗号鍵３１３で暗号化した暗号データ１１１が記録されている。非接触ＩＣタグリーダライタ２１０にはコンピュータネットワーク用の通信機能が具備されおり、情報提供会社サーバ３１０とＬＡＮ６１１（Ｌｏｃａｌ  Ａｒｅａ  Ｎｅｔｗｏｒｋ）で接続され、ＬＡＮ６１１用のプライベートネットワークアドレス２１１が与えられている。情報提供会社サーバ３１０はＬＡＮ６１１とインターネット６１０に接続され、暗号データ１１１を復号化する復号手段として復号装置３１１を、配信する電子情報を複数保管するデータベースとしてコンテンツデータベース３１２を具備している。前記復号装置３１１には、携帯電話５１０のメールアドレスを暗号化した暗号鍵３１３が機密に保管されている。携帯電話５１０は、携帯電話網６１３を経由してインターネット６１０に接続している。なお図５において、情報提供会社サーバ３１０は駅管理事務所に設置され、非接触ＩＣタグリーダライタ２１０は駅構内に貼られる化粧品のポスター脇に設置されている。
【００４９】
顧客９１０が所持する非接触ＩＣタグ１１０に記録される携帯電話５１０のメールアドレスを暗号データ１１１について以下に説明する。
顧客が所有する携帯電話５１０のメールアドレスは（１）である。
HYPERLINK mailto:kokyaku@aaa.bbb.cc.dd kokyaku@aaa.bbb.cc.dd  （１）
（１）をアスキーコードに変換したデータが（２）である。
6B 6F 6B 79 61 6B 75 40 61 61 61 2E 62 62 62 2E 63 63 2E 64 64 （２）
（２）のデータをトリプルＤＥＳで暗号化するために、８０ｈと００ｈをパディングし、データ長を３２バイトにしたデータが（３）である。
6B 6F 6B 79 61 6B 75 40 61 61 61 2E 62 62 62 2E 63 63 2E 64 64 80 00 00 00 00 00 00 00 00 00 00（３）
（３）のデータを暗号化時に使用する鍵は（４）および（５）であり、（４）および（５）は暗号鍵３１３として、情報提供会社サーバ３１０が具備する復号装置３１１に保管される。
AAAAAAAAAAAAAAAA （４）
BBBBBBBBBBBBBBBB （５）
データ（３）を暗号鍵（４）および（５）を用いて暗号化したデータが（６）である。（６）は暗号データ１１１として、非接触ＩＣタグ１１０に記録される。暗号鍵を機密に保管すれば、（６）から（１）を算出することは非常に困難である。
E3 51 BC 31 DD E9 77 A5 29 92 06 D2 F8 33 18 EB  1A 7D 20 56 B8 1F 82 F4 A4 77 90 C7 98 B3 C3 45（６）
なお（２）から（６）のデータはすべて１６進表記である。
【００５０】
顧客９１０が駅構内にて本システムを利用する場合について記載する。
【００５１】
顧客９１０は、駅構内にて、日帰り旅行のポスター脇に設定されている非接触ＩＣタグリーダライ２１０に非接触ＩＣタグ１１０を近接させる。非接触ＩＣタグ１１０が非接触ＩＣタグリーダライタ２１０の通信距離内に入ると、非接触ＩＣタグ１１０は非接触ＩＣタグリーダライタ２１０が発信する電波により非接触ＩＣタグ１１０に内蔵されたＩＣチップが動作し、非接触ＩＣタグ１１０は非接触ＩＣタグリーダライタ２１０に非接触ＩＣタグ１１０内部に記録された暗号データ１１１を送信する。非接触ＩＣタグリーダライタ２１０は暗号データ１１１を受信すると、暗号データ１１１をＬＡＮ６１１経由で情報提供会社サーバ３１０に送信する。
ここで本例では非接触ＩＣタグ１１０は、電源が供給され動作すると非接触ＩＣタグ１１０内部に記録されたデータを自動的に送信する手段を有しているが、非接触ＩＣタグ１１０内部に記録されたデータを読み出す手段として、非接触ＩＣタグリーダライタ２１０が非接触ＩＣタグ１１０にデータを読み出す命令を送信し、非接触ＩＣタグ１１０に記録されたデータを読み出す手段を用いても良い。
【００５２】
情報提供会社サーバ３１０は、非接触ＩＣタグリーダライタ２１０から暗号データ１１１すなわち（６）を受信すると、情報提供会社サーバ３１０が具備している復号装置３１１に暗号データ１１１すなわち（６）を送信する。復号装置３１１は、復号装置３１１内部に機密に保管している暗号鍵３１３すなわち（４）および（５）のデータを用いて、暗号データ１１１すなわち（６）を復号化し、復号化したデータ（３）から顧客の携帯電話用メールアドレス（１）を算出する。
【００５３】
次に情報提供会社サーバ３１０は、暗号データ１１１を送信した非接触ＩＣタグリーダライタ２１０に対応する電子情報をコンテンツデータベース３１２から探索する。コンテンツデータベース３１２には、非接触ＩＣタグリーダライタのプライベートネットワークアドレスに関連付けて配信する電子情報を複数管理している。よって、情報提供会社サーバ３１０は、データを送信した非接触ＩＣタグリーダライタ２１０のプライベートネットワークアドレス２１１から配信すべき電子情報を探索できる。非接触ＩＣタグリーダライタ２１０は化粧品ポスターに対応しており、前記コンテンツデータベース３１２から化粧品に関する電子情報が探索される。
【００５４】
情報提供会社サーバ３１０は、コンテンツデータベース３１２から配信すべき電子情報を取得すると、復号装置３１１で復号化した携帯電話メールアドレス（１）に、インターネットを利用してコンテンツデータベース３１２から取得した電子情報を配信する。
【００５５】
顧客９１０は携帯電話５１０にて電子情報が送信されたことを確認し、携帯電話５１０を利用して化粧品に関する電子情報を閲覧することができる。
【００５６】
電子情報配信システム４２０の構成について説明する。電子情報配信システム４２０の構成内容も電子情報配信システム４１０と同じ構成である。情報記録媒体として非接触ＩＣタグ１１０、データ読取り手段としてプライベートネットワークアドレス２２１が与えられている非接触ＩＣタグリーダライタ２２０、電子情報配信手段として、復号装置３２１およびコンテンツデータベース３２２を具備し、非接触ＩＣタグリーダライタ２２０とＬＡＮ６１２で接続されている情報提供会社サーバ３２０、情報表示端末として携帯電話５１０から構成されている。ここで、顧客９１０が所有する非接触ＩＣタグ１１０と携帯電話５１０は、前述の電子情報配信システム４１０と同じものである。また復号装置３２１には、復号装置３１１と同じデータの暗号鍵３２３すなわち（４）と（５）が機密に保管されてる。
【００５７】
情報提供会社サーバ３２０はスーパーの管理室内に設置され、非接触ＩＣタグリーダライタ２２０はスーパーの入口に設置されている。
【００５８】
次に顧客９１０がスーパーにて電子情報配信システム４２０を利用する場合について記載する。
【００５９】
顧客９１０が所有する非接触ＩＣタグ１１０を非接触ＩＣタグリーダライタ２２０に近接すると、非接触ＩＣタグリーダライタ２２０は非接触ＩＣタグ１１０に記録された暗号データ１１１を読み取り、情報提供会社サーバ３２０に非接触ＩＣタグ１１０から受信した暗号データ１１１を送信する。情報提供会社サーバ３２０は、非接触ＩＣタグリーダライタ２２０から暗号データ１１１を受信すると、情報提供会社サーバ３２０が具備している復号装置３２１を利用し、上述した手順で暗号データ１１１すなわち（６）から顧客９１０の携帯電話用メールアドレスすなわち（１）を算出する。
【００６０】
次に情報提供会社サーバ３２０は、暗号データ１１１を送信した非接触ＩＣタグリーダライタ２２０に対応する電子情報をコンテンツデータベース３２２から探索する。前記コンテンツデータベース３２２は、非接触ＩＣタグリーダライタのプライベートネットワークアドレスに関連付けて顧客に配信する複数の電子情報、例えばセールス品や催事の内容を記載したチラシ情報を電子化した電子情報や、クーポン券等をバーコード化した電子情報を管理している。情報提供会社サーバ３２０は、前記コンテンツデータベース３２２から、非接触ＩＣタグリーダライタ２２０のプライベートアドレスアドレス２２１に対応する電子情報を探索し、前記コンテンツデータベース３２２から取得した電子情報を復号装置３２１で復号化した携帯電話のメールアドレスすなわち（１）に配信する。
【００６１】
顧客９１０は携帯電話５１０にてスーパーから電子情報が送信されたことを確認し、携帯電話５１０を利用して配信された電子情報を閲覧することができる。
【００６２】
上述に記載したとおり、本発明の第１の実施の形態においては、顧客９１０は１枚の非接触ＩＣタグ１１０さえ所持すれば、電子情報配信システム４１０、電子情報配信システム４２０のいずれからも電子情報を得ることができる。図５では電子情報配信システムが２つの例を示したが、電子情報配信システムが２つよりも多い場合にも、顧客は１枚の非接触ＩＣタグさえ所持すれば複数の情報提供会社から電子情報を得られることは、前述した内容から明らかである。
【００６３】
本発明の第１の実施の形態においては、電子情報配信アドレスは顧客が所持する情報記録媒体に記録されているため、電子情報配信アドレスを他のシステムに問い合わせる必要がなく、情報提供会社は各々がスタンドアロンで他のシステムと情報交換を行わないシステムを構築できる。
［第２の実施の形態］
図を参照にしながら、本発明の第２の実施の形態について説明する。第２の実施の形態は、情報記録媒体を識別する媒体識別コードとネットワーク上のコンピュータネットワークアドレスを情報記録媒体に記録した実施の形態である。
【００６４】
図６に、本発明の第２の実施の形態の基本構造図を示す。図６に示すように、本発明の第２の実施の形態に係る電子情報配信システムは、情報記録媒体として非接触ＩＣタグ１３０、データ読取り手段として非接触ＩＣタグリーダライタ２３０、ネット端末として情報提供会社サーバ３３０、電子配信アドレス探索手段を具備したサーバとしてメールアドレス管理サーバ７３０、電子配信アドレス探索手段としてメールアドレス管理サーバ７３０に具備されたメールアドレスデータベース７３１、情報表示端末として携帯電話５３０、配信する電子情報を管理しているサーバとしてコンテンツ管理サーバ８３０、電子情報探索手段としてコンテンツ管理サーバ８３０に具備されたコンテンツデータベース８３１から構成されている。なおメールアドレス管理サーバ７３０は電子情報配信手段も兼ねている。非接触ＩＣタグ１３０は非接触ＩＣタグリーダライタ２３０と無線で交信する。非接触ＩＣタグリーダライタ２３０にはネットワーク通信機能が具備され、非接触ＩＣタグリーダライタ２３０と情報提供会社サーバ３３０はＬＡＮ６３１で接続されている。情報提供会社サーバ３３０と、コンテンツ管理サーバ８３０と、およびメールアドレス管理サーバ７３０とはインターネット６３０で接続されている。携帯電話５３０は、携帯電話網６３２を経由してインターネット６３０に接続している。
【００６５】
図７は非接触ＩＣタグ１３０の説明図である。図７に示すごとく、非接触ＩＣタグ１３０にはＩＣチップ１３２およびアンテナ１３３が内蔵され、前記ＩＣチップ１３２には、非接触ＩＣタグに記録するＩＣタグデータ１３１として、非接触ＩＣタグ１３０を識別する非接触ＩＣタグ識別コード１３４とインターネットに接続されたコンピュータを特定するデータとしてメールアドレス管理サーバ７３０のＩＰアドレス１３５が記録されている。前記非接触ＩＣタグ識別番号１３４は、非接触ＩＣチップを製造した会社を意味するコードと製造番号から構成されている。ここで非接触ＩＣタグ識別コードとして、非接触ＩＣタグを発行した会社を意味するコードと発行番号でもよく、インターネットに接続されたコンピュータを特定するデータとして、メールアドレス管理サーバ７３０のＵＲＬ（Universal Resource Locator）でもよく、ユビキタスネットワークのネットワークアドレスでもよい。本発明の第２の実施の形態においては、本発明の第１の実施の形態と異なり、非接触ＩＣタグ１３０に記するデータは暗号化していない。本発明の第１の実施の形態では、顧客のメールアドレスを非接触ＩＣタグに記録するため、個人情報保護の観点からすると、非接触ＩＣタグに記録するデータは暗号化することが望ましいが、本発明の第２の実施の形態では、直接個人情報に関するデータを非接触ＩＣタグに記録しないため、非接触ＩＣタグに記録するデータは暗号化していない。ただし、本発明の第１の実施の形態同様に、本発明の第２の実施においても非接触ＩＣタグに記録するデータを暗号化してもよい。
【００６６】
非接触ＩＣタグリーダライタ２３０には、本発明の第１の実施の形態と同様に、非接触ＩＣタグと無線にてデータ通信する機能、情報提供会社サーバ３３０とＬＡＮ経由で通信する機能が少なくとも備わっている。
【００６７】
情報提供会社サーバ３３０は、非接触ＩＣタグリーダライタのプライベートネットワークアドレスに関連付けて配信する電子情報を識別するコード（以下サービスコードと記す）を複数記録したサービスコードデータベース３３１を具備している。情報提供会社サーバ３３０は、前記サービスコードデータベース３３１を利用して、ＩＣタグデータ１３１を送信した非接触ＩＣタグリーダライタのプライベートネットワークアドレス２３１に対応するサービスコードを探索する。
【００６８】
メールアドレス管理サーバ７３０は、メールアドレスデータベース７３１と電子情報をメールアドレスに配信する電子情報配信手段と、およびネットワークを利用して他のコンピュータまたは装置等とデータを通信する機能を備えている。メールアドレスデーベース７３１は、非接触ＩＣタグ１３０に記録される前記非接触ＩＣタグ識別コードに関連付けてメールアドレスを記録している。メールアドレス管理サーバ７３０は、メールアドレスデータベース７３１を利用して、非接触ＩＣタグ識別コードからメールアドレスを探索および取得できる。また電子情報配信手段とは、インターネットに接続された他のコンピュータから、前記非接触ＩＣタグ識別コードと電子情報を受信すると、受信した前記非接触ＩＣタグ識別コードからメールアドレスを探索し、探索したメールアドレスに受信した電子情報を配信する手段である。メールアドレス管理サーバ７３０が電子情報を配信することで、インターネット上に顧客のメールアドレスが伝送されることはなく、インターネット上から個人情報が漏洩する可能性は極めて低くなる。
【００６９】
コンテンツ管理サーバ８３０はインターネット上に配置されたサーバであり、前記サービスコードに関連付けて複数の電子情報を管理しているコンテンツデータベース８３１と、ネットワークを利用して他のコンピュータまたは装置等とデータを通信する機能を備えている。コンテンツ管理サーバ８３０は、前記コンテンツデータベース８３１を利用して、サービスコードから配信する電子情報を探索する。
【００７０】
本発明の第２の実施の形態の動作を、図を参照にしながら説明する。図８は本発明の第２の実施の形態の動作フロー図である。
【００７１】
先ず、本発明の第２の実施の形態においては、ＩＣタグデータ１３１すなわち非接触ＩＣタグ識別コード１３４とメールアドレス管理サーバ７３０のＩＰアドレス１３５を記録した非接触ＩＣタグ１３０が顧客に配布され、顧客が配布された非接触ＩＣタグ１３０を非接触ＩＣタグリーダライタ２３０に近接させ、非接触ＩＣタグ１３０を非接触ＩＣタグリーダライタ２３０が認識すると（Ｓ１０）、非接触ＩＣタグリーダライタ２３０は非接触ＩＣタグ１３０に記録された前記ＩＣタグデータ１３１を読取る（Ｓ１１）。非接触ＩＣタグリーダライタ２３０は読取ったＩＣタグデータ１３１を情報提供会社サーバ３３０にＬＡＮ６３１経由で送信する（Ｓ１２）。情報提供会社サーバ３３０は、サービスコードデータベース３３１を利用して、ＩＣタグデータ１３１を送信した非接触ＩＣタグリーダライタ２３０のプライベートネットワークアドレス２３１に関連付けられたサービスコードを取得する（Ｓ１３）。情報提供会社サーバ３３０は、取得したサービスコードをコンテンツ管理サーバ８３０に送信する（Ｓ１４）。コンテンツ管理サーバ８３０は、コンテンツデータベースを利用して、受信したサービスコードに関連付けられた電子情報を探索し、情報提供会社サーバ３３０に返信する（Ｓ１５）。情報提供会社サーバ３３０は、コンテンツ管理サーバ８３０から受信した電子情報とＩＣタグデータ１３１に含まれる非接触ＩＣタグ識別コード１３４を、同じく前記ＩＣタグデータ１３１に含まれるＩＰアドレス１３５で示されるネットワークコンピュータすなわちメールアドレス管理サーバ７３０に送信する（Ｓ１６）。メールアドレス管理サーバ７３０は、メールアドレスデータベース７３１を利用して、受信した非接触ＩＣタグ識別コード１３４に関連付けられた電子情報配信アドレスを取得する（Ｓ１７）。メールアドレス管理サーバ７３０は、前記取得した電子情報配信アドレスに情報提供会社サーバ３３０から受信した電子情報を配信する（Ｓ１８）。携帯電話５３０は、メールアドレス管理サーバ７３０から配信された電子情報を受信する（Ｓ１９）。
【００７２】
上述のように、顧客は非接触ＩＣタグを使用することで、情報提供会社から電子情報を受け取ることができる。具体的には、情報提供を希望するサービスに対応した非接触ＩＣタグリーダライタに、顧客が所有する非接触ＩＣタグを近接すれば、希望するサービスに関する情報を携帯電話で閲覧することができる。
【００７３】
次に本発明の第２の実施の形態の電子情報配信システムを用いれば、使用者は一枚の非接触ＩＣタグを利用して、複数の情報提供会社から電子情報を得られることを、図を参照しながら説明する。
【００７４】
図９は、本発明を適用した二つの電子情報配信システムを設置した模式図である。図９において、顧客９４０は非接触ＩＣタグ１４０と携帯電話５４０を所持し、電子情報配信システム４４０および４５０は、それぞれ本発明の第２の実施の形態を適用した電子情報配信システムである。電子情報配信システム４４０は駅構内に設置され、電子情報配信システム４５０は家電販売店に設置され、電子情報配信システム４４０、４５０はそれぞれ異なる情報提供会社が運営している。
【００７５】
まずはじめに、顧客９４０は非接触ＩＣタグ１４０を利用することで、電子情報配信システム４４０から電子情報を得られることを説明する。
【００７６】
電子情報配信システム４４０の構成は、図６に図示した基本構造図と同じである。図９に示すように、電子情報配信システム４４０は、情報記録媒体として非接触ＩＣタグ１４０、データ読取り手段として非接触ＩＣタグリーダライタ２４０、ネット端末としてサービスコードデータベース３４１を具備した情報提供会社サーバ３４０、電子配信アドレス探索手段としてメールアドレスデータベース７４１を具備したメールアドレス管理サーバ７４０、情報表示端末として携帯電話５４０、配信する電子情報を管理しているサーバとして、コンテンツデータベース８４１を具備したコンテンツ管理サーバ８４０から構成されている。非接触ＩＣタグ１４０は非接触ＩＣタグリーダライタ２４０と無線で交信する。非接触ＩＣタグリーダライタ２４０にはネットワーク通信機能が具備され、非接触ＩＣタグリーダライタ２４０と情報提供会社サーバ３４０はＬＡＮ６４１で接続されている。情報提供会社サーバ３４０と、コンテンツ管理サーバ８４０と、メールアドレス管理サーバ７４０とはインターネット６４０で接続されている。携帯電話５４０は、携帯電話網６４３を経由してインターネット６４０に接続している。
【００７７】
顧客が所持する非接触ＩＣタグ１４０は、本発明の第１の実施の形態と同様に、無線にて非接触ＩＣタグリーダライタ２４０とデータ通信する機能を備えている。ただし非接触ＩＣタグ１４０に記録されているＩＣタグデータ１４１は、前述の本発明の第１の実施の形態とは異なり、非接触ＩＣタグ１４０の非接触ＩＣタグ媒体識別コードおよびメールアドレス管理サーバ７４０のＩＰアドレスが記録されている。
【００７８】
情報提供会社サーバ３４０は駅構内に設置され、駅構内に設置された非接触ＩＣタグリーダライタ２４０を含め複数の非接触ＩＣタグリーダライタとＬＡＮ６４１にて接続されている。駅構内において、非接触ＩＣタグリーダライタ２４０は、日帰り旅行のポスターの脇に設置されている。
【００７９】
情報提供会社サーバ３４０はサービスコードデータベース３４１を具備している。サービスコードデータベース３４１において、非接触ＩＣタグリーダライタのプライベートネットワークアドレスに関連付けてサービスコードを記録している。また駅に貼られるポスターは一定期間毎に変更されるため、情報提供会社サーバ３４０は、データベースの内容を変更できる手段を備えている。例えば非接触ＩＣタグリーダライタ２４０に対応するポスターが日帰り旅行から化粧品に変更された場合、サービスコードデータベースの非接触ＩＣタグリーダライタ２４０に対応するサービスコードが日帰り旅行を示すサービスコードから化粧品を示すサービスコードに変更される。
【００８０】
メールアドレス管理サーバ７４０は図６のメールアドレス管理サーバ７３０と同じ機能を有する。図９においては、メールアドレス管理サーバ７４０はメールアドレスを一元管理するサーバである。
【００８１】
コンテンツ管理サーバ８４０は、図６のコンテンツ管理サーバ８３０と同じ機能を有する。図９においては、コンテンツ管理サーバ８４０は、顧客に配信する電子情報を一元管理しているサーバである。
【００８２】
顧客９４０は、駅構内にて、日帰り旅行のポスター脇に設定されている非接触ＩＣタグリーダライ２４０に非接触ＩＣタグ１４０を近接させると、非接触ＩＣタグ１４０に記録されているＩＣタグデータ１４１を非接触ＩＣタグリーダライタ２４０が読取る。非接触ＩＣタグリーダライタ２４０は読取ったＩＣタグデータ１４１を情報提供会社サーバ３４０に送信する。
情報提供会社サーバ３４０は、サービスコードデータベース３４１を利用し、非接触ＩＣタグリーダライタ２４０に関連付けられたサービスコードを取得する。取得したサービスコードはインターネット６４０を利用してコンテンツ管理サーバ８４０に送信される。コンテンツ管理サーバ８４０は、コンテンツデータベース８４１を利用し、受信したサービスコードに関連付けられた電子情報を探索し、情報提供会社サーバ３４０に探索した電子情報、すなわち日帰り旅行に関する電子情報を返信する。情報提供会社サーバ３４０は、前記ＩＣタグデータ１４１に記録されているＩＰアドレスで示されるメールアドレス管理サーバ７４０に、コンテンツ管理サーバ８４０から受信した電子情報と、前記ＩＣタグデータ１４１に記録されている非接触ＩＣタグ識別コードを送信する。メールアドレス管理サーバ７４０は、メールアドレスデータベース７４１を利用し、ＩＣタグデータ１４１に含まれる非接触ＩＣタグ識別コードに対応する顧客９４０のメールアドレスを探索し、探索した顧客メールアドレスに受信した電子情報を配信する。顧客９４０が所有する携帯電話５４０は、日帰り旅行に関する電子情報を受信し、顧客９４０は携帯電話５４０を利用し、メールアドレス管理サーバ７４０から配信された電子情報を閲覧できる。
【００８３】
電子情報配信システム４５０を利用しても、顧客９４０は電子情報配信システム４４０と同様に電子情報を得られることを説明する。
【００８４】
電子情報配信システム４５０の構成は、図６に図示した基本構造図と同じである。図９に示すように、電子情報配信システム４５０は、情報記録媒体として非接触ＩＣタグ１４０、データ読取り手段として非接触ＩＣタグリーダライタ２５０、ネット端末として情報提供会社サーバ３５０、電子配信アドレス探索手段を具備したサーバとしてメールアドレス管理サーバ７４０、電子配信アドレス探索手段としてメールアドレスデータベース７４１、情報表示端末として携帯電話５４０、配信する電子情報を管理しているサーバとして、コンテンツデータベース８４１を具備したコンテンツ管理サーバ８４０から構成されている。非接触ＩＣタグ１４０は非接触ＩＣタグリーダライタ２５０と無線で交信する。非接触ＩＣタグリーダライタ２５０にはネットワーク通信機能が具備され、非接触ＩＣタグリーダライタ２５０と情報提供会社サーバ３５０はＬＡＮ６４２で接続されている。情報提供会社サーバ３５０と、コンテンツ管理サーバ８４０と、メールアドレス管理サーバ７４０とはインターネット６４０で接続されている。携帯電話５３０は、携帯電話網６４３を経由してインターネット６４０に接続している。顧客９４０が所有する非接触ＩＣタグ１４０と携帯電話５４０、メールアドレス管理サーバ７４０とメールアドレスデータベース７４１、およびコンテンツ管理サーバ８４０とコンテンツデータベース８４１は、それぞれ前述の電子情報配信システム４４０で記載したものと同じである。
【００８５】
情報提供会社サーバ３５０は家電量販店に設置され、非接触ＩＣタグリーダライタ２５０は、家電量販店の入り口に設置されている。
【００８６】
また情報提供会社サーバ３５０はサービスコードデータベース３５１を具備している。前記サービスコードデータベース３５１において、非接触ＩＣタグリーダライタのプライベートネットワークアドレスに関連付けてサービスコードを記録している。
【００８７】
顧客９４０が家電量販店に入店し、入り口に配置されている非接触ＩＣタグリーダライタ２５０に非接触ＩＣタグ１４０を近接すると、前述の電子情報配信システム４４０と同様の手順で、非接触ＩＣタグリーダライタ２５０に関連付けられた電子情報を携帯電話５４０にて閲覧することができる。
【００８８】
上述に記載したとおり、本発明の第２の実施の形態においては、顧客は１枚の非接触ＩＣタグさえ所持すれば、電子情報配信システム４４０、電子情報配信システム４５０のいずれからも電子情報を得ることができる。図９では電子情報配信システムが２つの例を示したが、電子情報配信システムが２つよりも多い場合にも本発明を適用できることは、前述した内容から明らかである。
【００８９】
また本発明の第２の実施の形態においては、電子情報配信アドレスおよび電子情報を一元管理するサーバをネットワーク上に配置すれば、ＶＰＮ（Virtual Private Network）を使用することで、情報提供会社は電子情報配信アドレスを管理する負荷を負うことなく、汎用性に優れたシステムを構築できる。
【産業上の利用可能性】
【００９０】
本発明の実施の形態に示した電子ポスター、電子チラシのみならず、街頭または行楽地における電子情報提供等のネットワークを利用した電子情報配信システムに利用可能である。
【図面の簡単な説明】
【００９１】
【図１】本発明の第１の実施の形態の基本構成図
【図２】非接触ＩＣタグの内部構造図
【図３】電子情報データベースに記録されているデータ構造図
【図４】本発明の第１の実施の形態の動作フロー説明図
【図５】２つの電子情報システムを設置した本発明の第１の実施の形態例の構造図
【図６】本発明の第２の実施の形態の基本構成図
【図７】本発明の第２の実施の形態で使用する非接触ＩＣタグの構造図
【図８】本発明の第２の実施の形態の動作フロー説明図
【図９】２つの電子情報システムを設置した本発明の第２の実施の形態例の構造図
【符号の説明】
【００９２】
１００  非接触ＩＣタグ
１０１  非接触ＩＣタグに記録された暗号データ
１０２  非接触ＩＣタグが具備するＩＣチップ
１０３  非接触ＩＣタグが具備するアンテナ
１３１  非接触ＩＣタグに記録されるＩＣタグデータ
１３４  非接触ＩＣタグ識別コード
１３５  ＩＰアドレス
２００  非接触ＩＣタグリーダライタ
２０１  プライベートネットワークアドレス
３００  情報提供会社サーバ
３０１  復号装置
３０２  コンテンツデータベース
３０３  暗号鍵
３３１  サービスコードデータベース
４１０  電子情報配信システム
５００  携帯電話
６００  インターネット
６０１  ＬＡＮ
６０２  携帯電話網
７３０  メールアドレス管理サーバ
７３１  メールアドレスデータベース
８３０  コンテンツ管理サーバ
８３１  コンテンツデータベース
９１０  顧客
【図１】
2005173982.tif 000003
【図２】
2005173982.tif 000004
【図３】
2005173982.tif 000005
【図４】
2005173982.tif 000006
【図５】
2005173982.tif 000007
【図６】
2005173982.tif 000008
【図７】
2005173982.tif 000009
【図８】
2005173982.tif 000010
【図９】
2005173982.tif 000011